(57)【要約】【課題】  穿孔用ピアス針をそのまま装飾用ピアス針として使用することができ、さらにピアス孔の穿孔後すぐにデザイン性に優れた市販のピアス用装飾止具を取り付けることができるようにした穿孔用ピアス針を提供する。【解決手段】  穿孔用ピアス針１の先端の針部２を該ピアス針１の軸部３に対して着脱自在に設けておき、さらに該ピアス針１の軸部２の先端に雄ネジ３ａを形成しておき、該ピアス針１を身体に刺し通した後で該ピアス針１の先端の針部２を取り外し、該ピアス針１の軸部３の雄ネジ３ａにピアス用装飾止具を取り付ける。【選択図】    図２
2005066005.tif 000002
【特許請求の範囲】
【請求項１】
基端にヘッドを有し身体の一部に穿孔するために刺し通される穿孔用ピアス針であって、
上記ピアス針の先端の針部は、該ピアス針の軸部に対して着脱自在に設けられており、
上記ピアス針の軸部の先端には、上記針部とピアス用装飾止具とを選択的に螺合するためのネジ部が形成されていることを特徴とする穿孔用ピアス針。
【発明の詳細な説明】
【技術分野】
【０００１】
本発明は、穿孔用ピアス針に関するものである。
【背景技術】
【０００２】
身体の一部（例えば、耳たぶや鼻など）に装飾用ピアスを装着するには、その身体の一部にピアス孔をあけておく必要がある。そのためには、ピアス針を専用の穿孔器によって打ち出して身体に刺し通し、該ピアス針を身体の反対側で止具に結合させた状態を数週間続ける必要がある。このピアス針は、身体に刺し通すために尖鋭な針部と、該針部の基端に設けられた装飾用ヘッドとから構成されている（特許文献１参照）。
【特許文献１】特開２００２−２８２０２２号公報
【発明の開示】
【発明が解決しようとする課題】
【０００３】
しかし、上述の穿孔用ピアス針では、該ピアス針を身体に刺し通してからピアス孔が完成するまでの間に、該ピアス針の針部に結合させていた止具が偶発的に外れてしまった場合、該ピアス針の先端の針部が剥き出し状態となり非常に危険である。
【０００４】
また、上記止具は、穿孔用ピアス針の仮止め用部品としてピアス孔が完成するまでの間だけ使用してその後は廃棄するものであるため、コスト等を考慮して安い材料から形成され形状もシンプルなものであることが多く、デザイン性に優れた製品が市場に出回っていなかった。このことにより、穿孔用ピアス針を身体の一部に仮止めしている数週間の間は、この穿孔用ピアス針及び止具が非常に見映えの悪いものとなってしまうという問題があった。また、この穿孔用ピアス針自体も使用後に廃棄するものであり、コスト的に不利であった。
【０００５】
本発明は、かかる点に鑑みてなされたものであり、その目的とするところは、穿孔用ピアス針をそのまま装飾用ピアス針として使用することができ、さらにピアス孔の穿孔後すぐにデザイン性に優れた市販のピアス用装飾止具を取り付けることができるようにした穿孔用ピアス針を提供することにある。
【課題を解決するための手段】
【０００６】
本発明は、上記課題に対して、穿孔用ピアス針の先端の針部を該ピアス針の軸部に対して着脱自在に設けておき、さらに該ピアス針の軸部の先端にネジ部を形成しておくことで、該ピアス針を身体に刺し通した後で該ピアス針の先端の針部を取り外し、該ピアス針の軸部のネジ部にピアス用装飾止具を取り付けることができるようにした。
【０００７】
すなわち、請求項１に係る発明は、基端にヘッドを有し身体の一部に穿孔するために刺し通される穿孔用ピアス針であって、
上記ピアス針の先端の針部は、該ピアス針の軸部に対して着脱自在に設けられており、
上記ピアス針の軸部の先端には、上記針部とピアス用装飾止具とを選択的に螺合するためのネジ部が形成されていることを特徴とする。
【０００８】
従って、本発明によれば、穿孔用ピアス針を身体の一部に刺し通した後、該ピアス針の先端の針部を取り外して該軸部の先端のネジ部にデザイン性に優れた市販のピアス用装飾止具を取り付けることができ、ピアス孔が完成するまでの期間においてもお洒落を楽しむことができる。
【発明の効果】
【０００９】
以上のように本発明によれば、上述したように穿孔用ピアス針を身体の一部に刺し通した後、該ピアス針の先端の針部を取り外して該軸部の先端のネジ部にデザイン性に優れた市販のピアス用装飾止具を取り付けることができ、ピアス孔が完成するまでの期間においてもお洒落を楽しむことができる。また、穿孔用ピアス針の軸部をそのまま装飾用ピアス針として使用することができるため、不必要な廃棄物を出さなくて済み経済的である。
【００１０】
さらに、上記穿孔用ピアス針から上記ピアス用装飾止具が偶発的に外れてしまった場合でも、該ピアス針の尖鋭な針部はすでに取り外しているため、該針部が剥き出しとなって怪我をする等の危険性を回避することができる。
【発明を実施するための最良の形態】
【００１１】
以下、本発明の実施の形態を図面に基づいて説明する。
【００１２】
＜穿孔用ピアス針について＞
図１に示す穿孔用ピアス針１は、その先端が尖鋭な針部２と、耳たぶや鼻などの身体の一部を貫通する軸部３と、該ピアス針１の軸部３の基端に一体に設けられた装飾用のヘッド４とからなる。
【００１３】
図２に示すように、上記穿孔用ピアス針１の針部２と軸部３とは互いに着脱自在に形成されている。すなわち、穿孔用ピアス針１の針部２の後端には雌ネジ２ａが形成されており、該ピアス針１の針部２を取り外した軸部３の先端には該針部２の後端の雌ネジ２ａに対応した雄ネジ（ネジ部）３ａが形成されている。そして、針部２の後端の雌ネジ２ａと軸部３の先端の雄ネジ３ａとを螺合させることにより、上記穿孔用ピアス針１が一体となるように形成されている。
【００１４】
上記ヘッド４は、上記穿孔用ピアス針１の軸部３の軸径よりも大きな球形状の装飾具からなり、該ピアス針１を身体の一部に刺し通したときのストッパーとして作用するものである。
【００１５】
なお、上記穿孔用ピアス針１を構成する材料としては、シルバー、金、チタン、ステンレスなどの金属部材や硬質のプラスチック材などを用いることができる。また、上記軸部３の形状は、直棒状に限らず、へそ用ピアス針として適用できるように湾曲した形状であっても構わない。また、上記ヘッド４の形状は、球形状に限らず、円板状や立方体形状など様々な形状のものが考えられる。
【００１６】
＜ピアス用穿孔器について＞
上記穿孔用ピアス針１を身体の一部に刺し通すために使用するピアス用穿孔器の一例について、以下に説明する。
【００１７】
図３に示すピアス用穿孔器１０は、穿孔器本体１１と、穿孔用ピアス針１を収容するピアス針用カートリッジ１２と、止具１３を保持する止具装着部１４とからなる。２１は、上記ピアス針用カートリッジ１２と止具１３との間に身体の一部を挟み込んだ状態でピアス針用カートリッジ１２に収容された上記穿孔用ピアス針１を押し出すためのプランジャである。
【００１８】
上記穿孔器本体１１は、上側にピアス針用カートリッジ１２が設けられた第１本体部１１ａと、上側に止具装着部１４が設けられた第２本体部１１ｂとからなり、両本体部１１ａ，１１ｂはその下側に設けられた回転軸１５を中心にして回転移動できるように互いに連結されている。
【００１９】
第１本体部１１ａの周縁部の図３における右側には第１側部壁１７が形成され、第２本体部１１ｂの周縁部の図３における左側には第２側部壁１８が形成されている。また、第１本体部１１ａのピアス針用カートリッジ１２と回転軸１５との間には第１当接部１９が設けられ、第２本体部１１ｂの止具装着部１４と回転軸１５との間には第２当接部２０が設けられている。
【００２０】
そして、上記第１及び第２側部壁１７，１８に外側から力を加えると、第１及び第２本体部１１ａ，１１ｂは回転軸１５を中心に回動して、ピアス針用カートリッジ１２と止具１３とが接近するように閉じていく。このとき、第２当接部２０が第１当接部１９に当接することにより、それ以上はピアス針用カートリッジ１２と止具１３とが接近しなくなり、図４に示すような閉じ終わって穿孔準備が完了している状態となる。
【００２１】
また、第１本体部１１ａと第２本体部１１ｂとの間には、ピアス針用カートリッジ１２と止具装着部１４との間隔が開くように付勢するリターンスプリング１６が設けられている。これにより、上記第１及び第２本体部１１ａ，１１ｂに加えていた力を開放すると、リターンスプリング１６の付勢力によりピアス針用カートリッジ１２と止具１３とが離れた状態に戻される。
【００２２】
また、図５に示すように、止具１３は、中心に穿孔用ピアス針１が嵌入する針孔１３ａを有する円板部１３ｂと、該円板部１３ｂの背部に突出した一対の突起１３ｃ，１３ｃとからなる。突起１３ｃ，１３ｃは、針孔１３ａの延長線上に隙間を存して相対しており、この突起１３ｃ，１３ｃ間に穿孔用ピアス針１の針部２が嵌合するものである。
【００２３】
なお、円板部１３ｂと突起１３ｃとは、軟質のプラスチックによって一体に形成されていることが好ましい。さらに、この軟質のプラスチックとして、抗菌剤を混入した透明のポリプロピレンを用いると、皮膚炎などを防止する効果を奏することができ、より好ましい。
【００２４】
＜穿孔用ピアス針の取付手順＞
上記ピアス用穿孔器１０の使用に際しては、図３に示すようにピアス用穿孔器１０のプランジャ２１を後退位置として、穿孔用ピアス針１をピアス針用カートリッジ１２に装着する一方、止具１３の突起１３ｃを止具装着部１４に嵌め込んで止具１３を装着する。次に、ピアス針用カートリッジ１２と止具１３との間に身体の一部（耳たぶや鼻など）を挿入しておき、穿孔器本体１１の第１及び第２側部壁１７，１８に力を加えてピアス針用カートリッジ１２と止具１３との間隔を狭め、この両者間に身体の一部を挟む。
【００２５】
そして、穿孔器本体１１の第１及び第２側部壁１７，１８に力を加えた状態を保持したまま、プランジャ２１をピアス針用カートリッジ１２後方から押していくことにより、該ピアス針用カートリッジ１２に収容されていた穿孔用ピアス針１がプランジャ２１に押されて身体の一部を貫通し、さらに穿孔用ピアス針１の先端の針部２が止具装着部１４に装着した止具１３の針孔１３ａに嵌合する。
【００２６】
＜ピアス用装飾止具の取付方法＞
上記手順により、身体の一部に穿孔用ピアス針１が貫通し、該ピアス針１の先端の針部２に止具１３が嵌合された状態において、止具１３を穿孔用ピアス針１の先端の針部２とともに該ピアス針１の軸部３から取り外す。
【００２７】
そして、上記穿孔用ピアス針１の軸部３の先端に形成された雄ネジ３ａに、該雄ネジ３ａに対応した雌ネジを有するピアス用装飾止具（図示せず）を螺合させることにより、デザイン性に優れたピアス用装飾止具の取り付けが完了する。
【００２８】
以上により、本実施形態に係る穿孔用ピアス針１によれば、穿孔用ピアス針１を身体の一部に刺し通した後、該ピアス針１の先端の針部２を取り外して該軸部３の先端の雄ネジ３ａにデザイン性に優れた市販のピアス用装飾止具（図示せず）を取り付けることができ、ピアス孔が完成するまでの期間においてもお洒落を楽しむことができる。
【００２９】
また、穿孔用ピアス針１の軸部３をそのまま装飾用ピアス針として使用することができ、不必要な廃棄物を出さなくて済むため経済的である。また、上記穿孔用ピアス針１から上記ピアス用装飾止具（図示せず）が偶発的に外れてしまった場合でも、該ピアス針１の先端の針部２はすでに取り外しているため、該針部２が剥き出しとなって怪我をする等の危険性を回避することができる。
【図面の簡単な説明】
【００３０】
【図１】本発明の実施形態に係る穿孔用ピアス針を示す平面図である。
【図２】本発明の実施形態に係る穿孔用ピアス針の針部を軸部から取り外した状態を示す平面図である。
【図３】ピアス針用カートリッジと止具とが離れた状態のピアス用穿孔器を示す平面図である。
【図４】ピアス針用カートリッジと止具とが接近して穿孔準備完了状態のピアス用穿孔器を示す平面図である。
【図５】本発明の実施形態に係る穿孔用ピアス針及び止具を示す斜視図である。
【符号の説明】
【００３１】
１    穿孔用ピアス針
２    針部
２ａ  雌ネジ
３    軸部
３ａ  雄ネジ
４    ヘッド
１０    ピアス用穿孔器
【図１】
2005066005.tif 000003
【図２】
2005066005.tif 000004
【図３】
2005066005.tif 000005
【図４】
2005066005.tif 000006
【図５】
2005066005.tif 000007